【手続補正書】
【提出日】平成28年12月9日(2016.12.9)
【手続補正１】
【補正対象書類名】特許請求の範囲
【補正対象項目名】全文
【補正方法】変更
【補正の内容】
【特許請求の範囲】
【請求項１】
放射線治療装置であって、
前後軸に沿って位置付けられ、かつそれを通して伸びる、患者の身体を収容するために十分に大きな中心開口部を有するリングガントリと、
前記前後軸に対して、前記リングガントリを複数の異なる傾斜角度に傾斜させるように構成される、ガントリ傾斜機構と、
前記リングガントリに連結され、少なくとも１８０度の孤度において、前記中心開口部の周囲で回転可能である、放射線治療ヘッドと、
を備え、前記放射線治療ヘッドは、前記放射線治療ヘッドが、前記リングガントリに対して、前記中心開口部に向かって内向きに伸びる距離が、動的に制御可能であるように、前記リングガントリに機械的に連結される、装置。
【請求項２】
前記放射線治療ヘッドは、少なくとも３６０度の孤度において、前記中心開口部の周囲で回転可能である、請求項１に記載の放射線治療装置。
【請求項３】
前記リングガントリは、リングガントリ面を画定し、前記放射線治療ヘッドが内向きに伸びる距離は、前記放射線治療ヘッドと前記リングガントリとの間に機械的に連結された伸縮自在アームの動作によって、動的に制御可能であり、前記伸縮自在アームは、前記リングガントリ面の中心に向かって、およびそこから離れるように動的に伸びるように構成される、請求項１に記載の放射線治療装置。
【請求項４】
前記放射線治療ヘッドが、前記中心開口部の周囲において、複数のガントリ角度を通じて回転されるにつれて、前記放射線治療ヘッドが内向きに伸びる前記距離を動的に制御するように構成される、制御デバイスをさらに備え、前記制御デバイスは、前記放射線治療ヘッドが、前記前後軸の周囲におよびそれに沿って伸びる、所定の円筒形緩衝帯外に隣接して維持されるように、前記距離を制御する、請求項１に記載の放射線治療装置。
【請求項５】
前記ガントリ傾斜機構は、前記前後軸に垂直である水平傾斜軸の周りで、前記リングガントリを傾斜させるように構成される、請求項１に記載の放射線治療装置。
【請求項６】
前記水平傾斜軸は、アイソセンタの近傍において、前記前後軸に交差する、請求項５に記載の放射線治療装置。
【請求項７】
前記ガントリ傾斜機構は、前記前後軸に垂直である垂直傾斜軸の周囲において、前記リングガントリを傾斜させるように構成される、請求項１に記載の放射線治療装置。
【請求項８】
前記垂直傾斜軸は、アイソセンタの近傍において、前記前後軸に交差する、請求項７に記載の放射線治療装置。
【請求項９】
前記リングガントリは、リングガントリ面を画定し、前記放射線治療ヘッドは、治療放射線が、前記リングガントリ面に対して、面外に指向され得るように、少なくとも１つの枢動軸の周りで前記放射線治療ヘッドの枢動を可能にする様式で、前記リングガントリに連結される、請求項１に記載の放射線治療装置。
【請求項１０】
前記前後軸は、アイソセンタを通過する固定中心前後軸であって、前記放射線治療ヘッドは、治療放射線がさらに、前記中心前後軸に対して、中心を外れて、指向され得るように、少なくとも２つの枢動軸の周りで前記放射線治療ヘッドの枢動を可能にする様式で、前記リングガントリに連結される、請求項１に記載の放射線治療装置。
【請求項１１】
前記放射線治療装置が設置される、治療室に対して、固定可能に位置付けられる、第１の撮像源および第１の撮像検出器を含む、第１の撮像システムをさらに備える、請求項１に記載の放射線治療装置。
【請求項１２】
請求項１に記載の放射線治療装置であって、前記放射線治療装置は治療室のアイソセンタに配置される患者の標的組織体積に、放射線治療を提供するためのものであり、
前記リングガントリが格納されるリングガントリ構造であって、（ｉ）前記リングガントリ構造が前記アイソセンタを前後方向に包含する、第１の場所と、（ｉｉ）前記リングガントリ構造が前記アイソセンタを包含しない、第２の場所との間で、前記前後軸に沿って平行移動可能である、リングガントリ構造と、
前記リングガントリ構造とは別の、前記標的組織体積の治療前撮像および準備撮像のうちの少なくとも１つを提供するための３Ｄ撮像デバイスであって、（ｉｉｉ）前記３Ｄ撮像デバイスが前記アイソセンタを前後方向に包含しない、第３の場所と、（ｉｖ）前記３Ｄ撮像デバイスが前記アイソセンタを包含する、第４の場所との間で、前記前後軸に沿って平行移動可能である、３Ｄ撮像デバイスと、
をさらに備え、それによって、（ａ）前記３Ｄ撮像デバイスによる、前記標的組織体積の治療前および／または準備撮像と、（ｂ）前記放射線治療ヘッドによる、前記標的組織体積への放射線治療の送達の両方が、前記患者の移動を要求せずに、達成されることができる、放射線治療装置。
【請求項１３】
前記治療前および／または準備撮像は、前記リングガントリ構造を前記第２の場所に平行移動させることと、前記３Ｄ撮像デバイスを前記第４の場所に平行移動させることとを含み、前記放射線治療の送達は、前記３Ｄ撮像デバイスを前記第３の場所に平行移動させることと、前記リングガントリ構造を前記第１の場所に平行移動させることとを含む、請求項１２に記載の放射線治療装置。
【請求項１４】
前記３Ｄ撮像デバイスは、ＣＴ撮像デバイスおよびＭＲＩデバイスから成る群から選択される、請求項１２に記載の放射線治療装置。
【請求項１５】
画像誘導放射線治療（ＩＧＲＴ）装置を制御するための方法であって、
ＩＧＲＴ装置の前後軸に沿って、台を位置付けることであって、前記ＩＧＲＴ装置は、
中心開口部を有するリングガントリと、
前記前後軸に対して、前記リングガントリを複数の異なる傾斜角度に傾斜させるように構成される、ガントリ傾斜機構と、
前記リングガントリに連結され、少なくとも１８０度の孤度において、前記中心開口部の周囲で回転可能である、放射線治療ヘッドと、
を備える、前記台を位置付けることと、
前記ＩＧＲＴ装置を操作し、放射線治療ヘッドを複数の面外方向に位置して、非同一面放射線治療を発生し、前記操作は、前記中心開口部の周りに、前記放射線治療ヘッドを複数の異なるガントリ角度に回転させることを含み、前記操作はさらに、前記前後軸に対して、前記リングガントリを前記複数の異なる傾斜角度に傾斜させることを含むことと、
を含む、方法。
【請求項１６】
前記ＩＧＲＴ装置の操作はさらに、 
前記前後軸に対して、前記リングガントリを少なくとも１つの非垂直傾斜角度に傾斜させることと、
前記リングガントリが前記少なくとも１つの非垂直傾斜角度にある状態で、前記中心開口部の周りに、複数のガントリ角度を通じて、前記放射線治療ヘッドを回転させることと、
前記放射線治療ヘッドが、前記複数のガントリ角度に対して、前記内向きに伸びる距離を動的に制御することであって、前記動的制御は、前記放射線治療ヘッドが、前記前後軸に沿って、前記患者の周囲に延在する、所定の円筒形緩衝帯外に隣接して維持されるように、実施されることと、
を含む、請求項１５に記載の方法。
【請求項１７】
前記所定の円筒形緩衝帯は、円形円筒形形状および楕円形円筒形形状のうちの１つを有する、請求項１６に記載の方法。
【請求項１８】
前記ＩＧＲＴ装置を操作して、非同一面放射線治療を適用する間、常時、前記台は、前記ＩＧＲＴシステムが位置する、治療室に対して、移動させられない、請求項１５に記載の方法。
【請求項１９】
前記リングガントリは、中心リングガントリ面を画定し、前記放射線治療ヘッドは、前記リングガントリ面に対して、前記放射線治療ヘッドの面外枢動を可能にする様式で、前記リングガントリに連結され、前記操作はさらに、前記リングガントリ面外に、前記放射線治療ヘッドを枢動させることを含む、請求項１５に記載の方法。
【請求項２０】
前記前後軸は、アイソセンタを通過する中心前後軸であって、前記放射線治療ヘッドは、少なくとも２つの枢動軸の周りで前記放射線治療ヘッドの枢動を可能にする様式で、前記リングガントリに連結され、前記操作はさらに、前記少なくとも２つの軸を中心として、前記放射線治療を枢動させ、前記中心前後軸に対して、中心を外れて、治療放射線を適用することを含む、請求項１９に記載の方法。
【請求項２１】
前記ＩＧＲＴ装置はさらに、撮像源および撮像検出器を含む、内蔵撮像システムを備え、前記ＩＧＲＴ装置の操作はさらに、
前記撮像システムを操作し、前記治療用分割照射の間、前記身体部分の複数の分割照射中画像を取得することと、
少なくとも部分的に、前記分割照射中画像から導出された情報に基づいて、前記治療用分割照射の間、前記放射線治療ヘッドの枢動を調節することと、
を含む、請求項２０に記載の方法。 
【請求項２２】
前記ＩＧＲＴ装置は、前記前後軸の方向に、前記リングガントリを平行移動させるように構成される、ガントリ平行移動機構をさらに備え、前記ＩＧＲＴ装置を操作し、非同一面放射線治療を適用することは、前記前後軸に沿って、複数の異なる前後方向位置に前記リングガントリを平行移動させることを含む、請求項１５に記載の方法。
【請求項２３】
前記傾斜は、前記前後軸に垂直である水平傾斜軸の周りで、前記リングガントリを傾斜させることを含む、請求項１５に記載の方法。
【請求項２４】
前記傾斜は、前記前後軸に垂直である垂直傾斜軸の周りで、前記リングガントリを傾斜させることを含む、請求項１５に記載の方法。
【請求項２５】
前記ＩＧＲＴ装置は、前記リングガントリが格納される、リングガントリ構造をさらに備え、前記リングガントリ構造は、（ｉ）前記リングガントリ構造が前記アイソセンタを前後方向に包含する、第１の場所と、（ｉｉ）前記リングガントリ構造が前記アイソセンタを包含しない、第２の場所との間で、前記前後軸に沿って平行移動可能であり、前記方法は、さらに、
前記ＩＧＲＴ装置を操作し、非同一面放射線治療を適用することに先立って、（ｉｉｉ）前記３Ｄ撮像デバイスが前記アイソセンタを前後方向に包含しない、第３の場所から、
（ｉｖ）前記３Ｄ撮像デバイスが前記アイソセンタを包含する、第４の場所に、前記前後軸に沿って、前記リングガントリ構造とは別の３Ｄ撮像デバイスを平行移動させることと、
前記３Ｄ撮像デバイスが前記第４の位置にある状態で、前記３Ｄ撮像デバイスを操作し、
前記第４の位置から前記第３の位置に戻るように、前記３Ｄ撮像デバイスを平行移動させることと、
前記第２の場所から前記第１の場所に、前記前後軸に沿って、前記リングガントリ構造を平行移動させることと、 
前記リングガントリ構造が前記第１の場所にある状態で、前記ＩＧＲＴ装置を操作し、非同一面放射線治療を前記身体部分に適用することと、
を含む、請求項１５に記載の方法。
【請求項２６】
前記３Ｄ撮像デバイスは、ＣＴ撮像デバイスおよびＭＲＩデバイスから成る群から選択される、請求項２５に記載の方法。
【請求項２７】
前記放射線治療ヘッドは、前記放射線治療ヘッドが、前記リングガントリに対して、前記中心開口部に向かって内向きに伸びる距離が、動的に制御可能であるように、前記リングガントリに機械的に連結される、請求項１５に記載の方法。